(57)【要約】【課題】良好な画質を得ることができるＰＤＰの駆動方法及びプラズマディスプレイ装置を提供する。【解決手段】表示電極対を電極グループＡ、Ｂに分け、各サブフィールド期間の書込み期間を、電極グループＡ、Ｂに割り当てるようにしてサブ期間Ｔａ、Ｔｂに分割し、サブ期間Ｔａ、Ｔｂに、各電極グループＡ、Ｂの維持電極に対し第１待機電位Ｖｈを与えるとともに、走査電極に対し選択電位Ｖｂと第１非選択電位Ｖｓとを与えるよう、走査電極を順次選択し、走査電極の選択と同期して選択すべきデータ電極Ｄ１〜Ｄｍに書込み電位Ｖｗを与えるようにし、複数のサブ期間Ｔａ、Ｔｂのうち最後のサブ期間Ｔｂを除く一のサブ期間Ｔａにおいて走査電極に対して選択電位を与える時間を、最後のサブ期間Ｔｂにおいて走査電極に対して選択電位を与える時間よりも短くし、第１のサブ期間Ｔａに維持電極ＳＵＳｂに対し第１待機電位Ｖｈより低い第２待機電位Ｖｙを与えるようにする。【選択図】図５
2007328072.tif 000002
【特許請求の範囲】
【請求項１】
それぞれ対をなす走査電極及び維持電極からなる複数の表示電極対と複数のデータ電極とが隙間を有して交差するように配設され、前記表示電極対と前記データ電極とのそれぞれの隙間からなる放電空間と、前記放電空間となる前記隙間を形成する前記表示電極対及び前記データ電極とを有する複数の放電セルを有したプラズマディスプレイパネルの駆動方法であって、
前記表示電極対を、複数の電極グループにグループ分けし、
１フィールド期間を、それぞれ、前記放電セル内部を書込み放電が可能な帯電状態にするための初期化期間と、前記初期化期間の後に続く期間であって点灯させるべき前記放電セルに前記書込み放電を生じさせるための書込み期間と、前記書込み期間の後に続く期間であって前記書込み放電を生じさせた前記放電セルを点灯させるための維持期間とを有する複数のサブフィールド期間に分割し、
各サブフィールド期間の前記書込み期間を、それぞれ異なる１つの前記電極グループを割り当てるようにして複数のサブ期間に分割し、
それぞれの前記サブ期間に、前記サブ期間に割り当てられた電極グループの前記放電セルのうち前記点灯させるべき放電セルに前記書込み放電を生じさせるために、前記サブ期間に割り当てられた電極グループの前記維持電極に対し、第１待機電位を与えるとともに、前記走査電極に対し、選択と非選択とに応じて選択電位と第１非選択電位とを与えるようにして前記走査電極を順次選択し、各々の前記走査電極の選択と同期して選択すべき前記データ電極に書込み電位を与えるようにし、
前記複数のサブ期間のうち最後の前記サブ期間を除く一の前記サブ期間においてそれぞれの前記走査電極に対して前記選択電位を与える時間を、前記最後のサブ期間においてそれぞれの前記走査電極に対して前記選択電位を与える時間よりも短くし、
一の前記電極グループに割り当てたサブ期間より前のいずれかの前記サブ期間において、前記一の電極グループの前記維持電極に対し、前記第１待機電位より低い第２待機電位を与える、プラズマディスプレイパネルの駆動方法。
【請求項２】
前記一の電極グループに割り当てたサブ期間より前のいずれかの前記サブ期間において、前記一の電極グループの前記走査電極に対し、前記第１非選択電位より高い第２非選択電位を与える、請求項１に記載のプラズマディスプレイパネルの駆動方法。
【請求項３】
各サブフィールド期間において、前記初期化期間に、前記走査電極に対し、上昇後に下降する第１のランプ電位と、前記第１のランプ電位の最高電位よりも低い電位から下降する第２のランプ電位とのうちのいずれかを与えるようにし、
前記第２非選択電位は、前記第１のランプ電位の最高電位より低い、請求項２に記載のプラズマディスプレイパネルの駆動方法。
【請求項４】
前記第２待機電位は、前記選択電位より高い、請求項１に記載のプラズマディスプレイパネルの駆動方法。
【請求項５】
前記第２待機電位は、接地電位である、請求項１に記載のプラズマディスプレイパネルの駆動方法。
【請求項６】
前記複数の表示電極対の電極グループ数が２つである、請求項１に記載のプラズマディスプレイパネルの駆動方法。
【請求項７】
前記一の電極グループの前記走査電極に対し、前記第１非選択電位から前記第２非選択電位に変化する第１電位パルスを与えるとともに、前記一の電極グループの前記維持電極に対し、前記第１待機電位から前記第２待機電位に変化する第２電位パルスを与え、
前記第１電位パルスによる前記第２非選択電位の付与期間と、前記第２電位パルスによる前記第２待機電位の付与期間と、が異なる、請求項２に記載のプラズマディスプレイパネルの駆動方法。
【請求項８】
前記放電セルに、分圧比が７％以上のキセノンガスを含む放電ガスが充填されている、請求項１に記載のプラズマディスプレイパネルの駆動方法。
【請求項９】
各データ電極が全ての前記走査電極と交差するように配設され、前記書込み期間において前記走査電極を１本ずつ選択する、請求項１に記載のプラズマディスプレイパネルの駆動方法。
【請求項１０】
前記各放電セルの占有面積は、２．６９６×１０-4ｃｍ2以上、４．４３２×１０-3ｃｍ2以下である、請求項１に記載のプラズマディスプレイパネルの駆動方法。
【請求項１１】
それぞれ対をなす走査電極及び維持電極からなる複数の表示電極対と複数のデータ電極とが間隙を有して交差するように配設され、前記表示電極対と前記データ電極とのそれぞれの間隙からなる放電空間と、前記放電空間となる前記間隙を形成する前記表示電極対及び前記データ電極とを有する複数の放電セルを有したプラズマディスプレイパネルと、前記プラズマディスプレイパネルを駆動する駆動装置とを備え、
前記駆動装置は、
前記表示電極対を、複数の電極グループにグループ分けし、
１フィールド期間を、それぞれ、前記放電セル内部を書込み放電が可能な帯電状態にするための初期化期間と、前記初期化期間の後に続く期間であって点灯させるべき前記放電セルに前記書込み放電を生じさせるための書込み期間と、前記書込み期間の後に続く期間であって前記書込み放電を生じさせた前記放電セルを点灯させるための維持期間とを有する複数のサブフィールド期間に分割し、
各サブフィールド期間の前記書込み期間を、それぞれ異なる１つの前記電極グループを割り当てるようにして複数のサブ期間に分割し、
それぞれの前記サブ期間に、前記サブ期間に割り当てられた電極グループの前記放電セルのうち前記点灯させるべき放電セルに前記書込み放電を生じさせるために、前記サブ期間に割り当てられた電極グループの前記維持電極に対し、第１待機電位を与えるとともに、前記走査電極に対し、選択と非選択とに応じて選択電位と第１非選択電位とを与えるようにして前記走査電極を順次選択し、各々の前記走査電極の選択と同期して選択すべき前記データ電極に書込み電位を与えるようにし、
前記複数のサブ期間のうち最後の前記サブ期間を除く一の前記サブ期間においてそれぞれの前記走査電極に対して前記選択電位を与える時間を、前記最後のサブ期間においてそれぞれの前記走査電極に対して前記選択電位を与える時間よりも短くし、
一の前記電極グループに割り当てたサブ期間より前のいずれかの前記サブ期間において、前記一の電極グループの前記維持電極に対し、前記第１待機電位より低い第２待機電位を与えるように構成された、プラズマディスプレイ装置。
【請求項１２】
前記駆動装置は、前記一の電極グループに割り当てたサブ期間より前のいずれかの前記サブ期間において、前記一の電極グループの前記走査電極に対し、前記第１非選択電位より高い第２非選択電位を与えるように構成された、請求項１１に記載のプラズマディスプレイ装置。
【請求項１３】
前記駆動装置は、各サブフィールド期間において、前記初期化期間に、前記走査電極に対し、上昇後に下降する第１のランプ電位と、前記第１のランプ電位の最高電位よりも低い電位から下降する第２のランプ電位とのうちのいずれかを与えるようにし、
前記第２非選択電位は、前記第１のランプ電位の最高電位より低い、請求項１２に記載のプラズマディスプレイ装置。
【請求項１４】
前記第２待機電位は、前記選択電位より高い、請求項１１に記載のプラズマディスプレイ装置。
【請求項１５】
前記第２待機電位は、接地電位である、請求項１１に記載のプラズマディスプレイ装置。
【請求項１６】
前記表示電極対の電極グループ数が２つである、請求項１１に記載のプラズマディスプレイ装置。
【請求項１７】
前記駆動装置は、前記一の電極グループの前記走査電極に対し、前記第１非選択電位から前記第２非選択電位に変化する第１電位パルスを与えるとともに、前記一の電極グループの前記維持電極に対し、前記第１待機電位から前記第２待機電位に変化する第２電位パルスを与え、
前記第１電位パルスによる前記第２非選択電位の付与期間と、前記第２電位パルスによる前記第２待機電位の付与期間と、が異なる、請求項１２に記載のプラズマディスプレイ装置。
【請求項１８】
前記放電セルに、分圧比が７％以上のキセノンガスを含む放電ガスが充填されている、請求項１１に記載のプラズマディスプレイ装置。
【請求項１９】
各データ電極が全ての前記走査電極と交差するように配設され、前記駆動装置は、前記書込み期間において前記走査電極を１本ずつ選択する、請求項１１に記載のプラズマディスプレイ装置。
【請求項２０】
前記各放電セルの占有面積は、２．６９６×１０-4ｃｍ2以上、４．４３２×１０-3ｃｍ2以下である、請求項１１に記載のプラズマディスプレイ装置。
【発明の詳細な説明】
【技術分野】
【０００１】
本発明は、交流型のプラズマディスプレイパネルの駆動方法及びプラズマディスプレイ装置に関する。
【背景技術】
【０００２】
プラズマディスプレイパネル（以下、「ＰＤＰ」という）として代表的な交流面放電型パネルは、対向配置された２つの基板の前面板と背面板との間に多数の放電セルが形成されている。前面板は、対をなして互いに平行な走査電極と維持電極とからなる表示電極対が前面ガラス基板上に複数対形成され、それら表示電極を覆うように誘電体層および保護層（例えばＭｇＯ薄膜）が形成されている。背面板は、背面ガラス基板上に複数の平行なデータ電極と、それらを覆うように誘電体層と、さらにその上にデータ電極と平行に複数の隔壁がそれぞれ形成され、誘電体層の表面と隔壁の側面とに蛍光体層が形成されている。そして、表示電極とデータ電極とが立体交差するように前面板と背面板とが対向配置されて密封され、内部の放電空間には放電ガスが封入されている。ここで各放電セルが、１つの表示電極対と１つのデータ電極とを備え、それらの間の放電空間を含んで構成される。
【０００３】
このようなＰＤＰを備えたプラズマディスプレイ装置には、ＰＤＰの各電極にそれぞれ駆動電位信号を与えるための駆動回路、具体的には、走査電極に駆動電位信号を与える走査電極駆動回路、維持電極に駆動電位信号を与える維持電極駆動回路、データ電極に駆動電位信号を与えるデータ電極駆動回路が備えられている。
【０００４】
プラズマディスプレイ装置では、通常１秒間当りに５０から１００枚程度の画像が表示されており、その画像の１つ１つはフィールドと呼ばれる。ＰＤＰの駆動方法においては、そのフィールドを更に複数のサブフィールドに分割した上で、発光させるサブフィールドの組み合わせによって階調表示を行う方法が一般的である（サブフィールド法）。
【０００５】
図６はサブフィールド法を用いた従来のＰＤＰの駆動方法による各電極に与える駆動電位信号の波形図である。ここで用いられるＰＤＰは、例えば図２に示されるように、行方向にｎ本の走査電極ＳＣＮ１〜ＳＣＮｎおよびｎ本の維持電極ＳＵＳ１〜ＳＵＳｎが交互に配列され、列方向にｍ本のデータ電極Ｄ１〜Ｄｍが配列されている。
【０００６】
１フィールド期間は、それぞれ初期化期間、書込み期間および維持期間を有する第１〜第ｘのｘ個のサブフィールドで構成されているものとし、それぞれ第１ＳＦ、第２ＳＦ、・・・、第ｘＳＦと略記する。また、初期化期間においては、画像表示を行うすべての放電セルに対して初期化放電を行わせる全セル初期化動作と、直前のサブフィールドの維持期間中に点灯した放電セルに対してのみ選択的に初期化放電を行わせる選択初期化動作とのうちのいずれかの動作を行うようにしている。例えば、表示すべき画像データの平均輝度レベル（ＡＰＬ）に基づいて、各々のサブフィールドの初期化期間において全セル初期化動作か選択初期化動作のいずれの動作を行うかを決定する（例えば、特許文献１参照）。
【０００７】
まず、初期化期間に全セル初期化動作を行うサブフィールドにおける動作を説明する。
【０００８】
例えば第１ＳＦの初期化期間では、全セル初期化動作を行う。この初期化期間の前半部では、走査電極ＳＣＮ１〜ＳＣＮｎに緩やかに上昇するランプ電位を与えることにより、走査電極ＳＣＮ１〜ＳＣＮｎを陽極とし維持電極ＳＵＳ１〜ＳＵＳｎおよびデータ電極Ｄ１〜Ｄｍを陰極とする微弱な初期化放電を起こし、書込み動作に必要な壁電荷を各電極上に形成する。このとき後で壁電荷の最適化を図ることを見越して過剰に壁電荷を形成しておく。そして、初期化期間の後半部では、走査電極ＳＣＮ１〜ＳＣＮｎに緩やかに下降するランプ電位を与えることにより走査電極ＳＣＮ１〜ＳＣＮｎを陰極とし維持電極ＳＵＳ１〜ＳＵＳｎおよびデータ電極Ｄ１〜Ｄｍを陽極とする微弱な２回目の初期化放電を起こし、各電極上に過剰に蓄えられた壁電荷を減らし、各々の放電セルに対して適切な量の壁電荷に調整する。
【０００９】
次に、第１ＳＦの書込み期間では、後に続く維持期間において点灯させるべき放電セルにおいて書込み放電を起こす。書込み期間では、まず、１行目の走査電極ＳＣＮ１に走査パルス電位Ｖｂ（Ｖ）を与えるとともに、データ電極Ｄ１〜Ｄｍのうち、１行目に点灯させるべき放電セルのデータ電極Ｄｋに正の書込みパルス電位Ｖｗ（Ｖ）を与えることにより、１行目に点灯させるべき放電セルで書込み放電を起こして各電極上に壁電荷を蓄積する書込み動作が行われる。このような書込み動作をｎ行目の放電セルに至るまで順次行い、書込み期間が終了する。このように、書込み期間では、走査電極に順次走査パルスを与えるとともに、データ電極には表示すべき画像信号に対応した書込みパルス電位を与えることにより、走査電極とデータ電極との間で選択的に書込み放電を起こし、選択的に壁電荷形成を行う。
【００１０】
次に、第１ＳＦの維持期間では、走査電極ＳＣＮ１〜ＳＣＮｎおよび維持電極ＳＵＳ１〜ＳＵＳｎに交互に維持パルス電位Ｖｍ（Ｖ）を与えることにより、書込み放電を起こした放電セルにおいて維持放電を起こし、対応する放電セルの蛍光体層を発光させることにより画像表示を行う。
【００１１】
次に、初期化期間に選択初期化動作を行うサブフィールドにおける動作を説明する。
【００１２】
例えば第２ＳＦの初期化期間では、選択初期化動作を行う。この初期化期間では、維持電極ＳＵＳ１〜ＳＵＳｎをＶｈ（Ｖ）に保持し、データ電極Ｄ１〜Ｄｍを０（Ｖ）に保持し、走査電極ＳＣＮ１〜ＳＣＮｎにＶｑ（Ｖ）からＶａ（Ｖ）に向かって緩やかに下降するランプ電位を与える。これにより、直前のサブフィールドの維持期間で維持放電を行った放電セルにおいて微弱な初期化放電が発生し、走査電極ＳＣＮｉ、維持電極ＳＵＳｉ及びデータ電極Ｄｋ上の過剰な壁電荷が減らされ、書込み動作に適した壁電荷量に調整される。一方、直前のサブフィールドで書込み放電および維持放電が行われなかった放電セルについては、放電は発生しない。
【００１３】
この後に続く書込み期間および維持期間については、初期化期間に全セル初期化動作を行うサブフィールド（例えば第１ＳＦ）の書込み期間および維持期間と同様であるため説明を省略する。
【００１４】
次に、以上のような一連の期間によるＰＤＰの駆動における問題点について図７、図８、図９を用いて説明する。
【００１５】
図７に、あるサブフィールドの書込み期間を示す。また、図８（ａ）、（ｂ）にそれぞれ図７の時刻ｔ１、ｔ２でのセル内の壁電荷の状態を模式的に示す。図７の時刻ｔ１での放電セル内の壁電荷の分布は、図８（ａ）に示すように、初期化期間終了直後のため、走査電極ＳＣＮ（ＳＣＮ１〜ＳＣＮｎ）側に負の壁電荷が、維持電極ＳＵＳ（ＳＵＳ１〜ＳＵＳｎ）側とデータ電極ＤＡＴＡ（Ｄ１〜Ｄｍ）側に正の壁電荷がそれぞれ十分に蓄積された状態となる。それに対して、図７の時刻ｔ２での放電セル内の各電極の壁電荷の分布は、図８（ｂ）に示すように、図８（ａ）の場合に比べて減少した状態となる。これは、初期化放電や維持放電によって放電セル空間中に浮遊していたプライミング粒子や、維持放電によって活性化して保護層のＭｇＯから放出される電子等が、書込み待機中の放電セル内の電界によって加速され、初期化放電によって蓄積された壁電荷が徐々に中和されるためである。
【００１６】
図８（ａ）の状態で書込み動作が行われると、十分な壁電荷およびプライミング粒子のため、放電遅れが小さくなり良好な書込み放電が可能となる。一方、図８（ｂ）の状態で書込み動作が行われると、壁電荷およびプライミング粒子とも不十分であるため、放電遅れが大きくなり書込みミスが多発し、良好な画質を得ることができなくなる。このような現象を抑えるために、走査パルス電圧Ｖｓｃｎの電圧を高くすることにより、書込み待機時の放電セル内の電界を弱め、壁電荷の中和を抑制する手法がとられている。図９は書込み待機時間に対して良好な書込み放電を行うために必要である走査パルス電圧Ｖｓｃｎの一例を示した図である(駆動方法やＰＤＰによって異なる)。ここでいう書込み待機時間とは、（走査電極数ｎ）×（１本の走査電極に対する走査パルスの付与時間）＋（各走査パルス間の時間の合計）で示されるものである。走査パルス電圧Ｖｓｃｎは、走査電極駆動回路に使用されるドライバ回路の耐圧によってその上限が決まるため、図９に示すような駆動可能範囲が存在する。近年のフルスペックハイビジョン対応やスーパーハイビジョン（２ｋ４ｋ）等の高解像度化によって、書込み待機時間が急増しており、この駆動可能範囲内での駆動が困難となってきている。
【００１７】
このような問題に対して、書込み期間を前半と後半の期間に分け、前半の書込み期間中に、後半の書込み期間に選択される走査電極に対して、壁電荷の中和を抑制するための所定の電位を与えることにより、上記の電荷中和現象を軽減するＰＤＰの駆動方法が開示されている（例えば、特許文献２、３参照）。
【特許文献１】特開２００５−３２６６１１号公報
【特許文献２】特許第３５１１４９５号公報
【特許文献３】特開２００５−３１６４８０号公報
【発明の開示】
【発明が解決しようとする課題】
【００１８】
上記のように、書込み期間を前半と後半の期間に分け、前半の書込み期間中に、後半の書込み期間に選択される走査電極に対して、壁電荷の中和を抑制するための所定の電位を与えることにより、書込みミスをある程度低減することが可能になる。しかしながらこの方法でも書込みミスを完全に無くすことは困難であり、さらに書込みミスを低減するために改善の余地がある。なお、書込みミスとは、書込み放電が行われるべき放電セルに対し、十分な書込み放電が発生しないことや、全く書込み放電が発生しないことにより、維持期間において維持放電が行われない（不灯になる）現象のことである。
【００１９】
本発明は上記のような課題を解決するためになされたもので、書込みミスをより低減し、良好な画質を得ることができるプラズマディスプレイパネルの駆動方法及びプラズマディスプレイ装置を提供することを目的としている。
【課題を解決するための手段】
【００２０】
上記課題を解決するために、本発明のプラズマディスプレイパネルの駆動方法は、それぞれ対をなす走査電極及び維持電極からなる複数の表示電極対と複数のデータ電極とが隙間を有して交差するように配設され、前記表示電極対と前記データ電極とのそれぞれの隙間からなる放電空間と、前記放電空間となる前記隙間を形成する前記表示電極対及び前記データ電極とを有する複数の放電セルを有したプラズマディスプレイパネルの駆動方法であって、前記表示電極対を、複数の電極グループにグループ分けし、１フィールド期間を、それぞれ、前記放電セル内部を書込み放電が可能な帯電状態にするための初期化期間と、前記初期化期間の後に続く期間であって点灯させるべき前記放電セルに前記書込み放電を生じさせるための書込み期間と、前記書込み期間の後に続く期間であって前記書込み放電を生じさせた前記放電セルを点灯させるための維持期間とを有する複数のサブフィールド期間に分割し、各サブフィールド期間の前記書込み期間を、それぞれ異なる１つの前記電極グループを割り当てるようにして複数のサブ期間に分割し、それぞれの前記サブ期間に、前記サブ期間に割り当てられた電極グループの前記放電セルのうち前記点灯させるべき放電セルに前記書込み放電を生じさせるために、前記サブ期間に割り当てられた電極グループの前記維持電極に対し、第１待機電位を与えるとともに、前記走査電極に対し、選択と非選択とに応じて選択電位と第１非選択電位とを与えるようにして前記走査電極を順次選択し、各々の前記走査電極の選択と同期して選択すべき前記データ電極に書込み電位を与えるようにし、前記複数のサブ期間のうち最後の前記サブ期間を除く一の前記サブ期間においてそれぞれの前記走査電極に対して前記選択電位を与える時間を、前記最後のサブ期間においてそれぞれの前記走査電極に対して前記選択電位を与える時間よりも短くし、一の前記電極グループに割り当てたサブ期間より前のいずれかの前記サブ期間において、前記一の電極グループの維持電極に対し、前記第１待機電位より低い第２待機電位を与えるようにしている。
【００２１】
この駆動方法によれば、初期化期間の後に続く書込み期間を複数のサブ期間に分割し、ある電極グループ（電極グループαとする）を割り当てたサブ期間より前のいずれかのサブ期間において、その電極グループαの維持電極に対し、第１待機電位より低い第２待機電位を与えることにより、電極グループαに対応する放電セルにおいて、従来問題になっていた壁電荷の中和をより抑制することができる。
【００２２】
さらに、あるサブ期間（例えば、サブ期間Ｔｘとする）において走査電極に対して選択電位を与える時間を、最後のサブ期間において走査電極に対して選択電位を与える時間よりも短くすることにより、サブ期間Ｔｘを短縮し、サブ期間Ｔｘより後のサブ期間を初期化期間終了時に近づけることができ、サブ期間Ｔｘより後のサブ期間において書込み放電の対象となりうる放電セルの書込み待機中における壁電荷及びプライミング粒子の減少を抑えることが可能になる。
【００２３】
以上のことから、初期化期間終了時における書込み放電が可能な帯電状態の維持をより良好に行うことができ、書込み待機時間の増加による書込みミスをより低減することが可能になる。
【００２４】
なおここで、前記一の電極グループに割り当てたサブ期間より前のいずれかの前記サブ期間において、前記一の電極グループの走査電極に対し、前記第１非選択電位より高い第２非選択電位を与える駆動を、上記駆動方法と共に併用することが望ましい。
【００２５】
こうすれば、初期化期間の後に続く書込み期間を複数のサブ期間に分割し、ある電極グループ（電極グループαとする）を割り当てたサブ期間より前のいずれかのサブ期間において、その電極グループαの走査電極に対し、第１非選択電位より高い第２非選択電位を与えるともに、電極グループαの維持電極に対し、第１待機電位より低い第２待機電位を与えることになり、電極グループαに対応する放電セルにおいて、従来問題になっていた壁電荷の中和がより適切に抑制され、初期化期間終了時における書込み放電が可能な帯電状態の維持をより良好に行うことができ、書込み待機時間の増加による書込みミスをより低減することが可能になる。
【００２６】
また、各サブフィールド期間において、前記初期化期間に、前記走査電極に対し、上昇後に下降する第１のランプ電位と、前記第１のランプ電位の最高電位よりも低い電位から下降する第２のランプ電位とのうちのいずれかを与えるようにし、前記第２非選択電位は、前記第１のランプ電位の最高電位より低いようにすればよい。
【００２７】
また、前記第２待機電位は、前記選択電位より高いようにすればよい。
【００２８】
また、前記第２待機電位は、接地電位であるようにしてもよい。
【００２９】
また、前記電極グループのグループ数が２つであるようにしてもよい。
【００３０】
電極グループのグループ数の増加は、走査電極及び維持電極を駆動する回路の複雑化及び制御の複雑化を招くことになり、このようなデメリットを考慮すれば電極グループのグループ数を２つにするのが好ましい。
【００３１】
また、前記一の電極グループの前記走査電極に対し、前記第１非選択電位から前記第２非選択電位に変化する第１電位パルスを与えるとともに、前記一の電極グループの前記維持電極に対し、前記第１待機電位から前記第２待機電位に変化する第２電位パルスを与え、前記第１電位パルスによる前記第２非選択電位の付与期間と、前記第２電位パルスによる前記第２待機電位の付与期間と、が異なるようにしてもよい。
【００３２】
これにより、走査電極に付与される急激な電位の変化および、維持電極に付与される急激な電位の変化の同時発生が回避され、このような電位変化の相互干渉に基づくＰＤＰの放射ノイズを適切に低減できる。
【００３３】
また、前記放電セルに、分圧比が７％以上のキセノンガスを含む放電ガスが充填されるようにしてもよい。
【００３４】
放電セル内のキセノンガスの分圧比が７％以上の高い分圧比において書込み待機時間の増加による書込みミスが多発していたので、この場合に書込みミスをより効果的に低減することができる。
【００３５】
また、各々の前記データ電極が全ての前記走査電極と交差するように配設され、前記書込み期間において前記走査電極を１本ずつ選択するようにしてもよい。
【００３６】
これはシングルスキャン方式を用いた方法であり、このシングルスキャン方式では、ダブルスキャン方式よりも書込み待機時間が増加するため、この場合に書込みミスをより効果的に低減することができる。
【００３７】
また、各々の前記放電セルの占有面積が、２．６９６×１０-4ｃｍ2以上、４．４３２×１０-3ｃｍ2以下であってもよい。
【００３８】
プラズマディスプレイパネルの解像度が例えば１００万画素（ＨＤ）以上のように高くなると、上記のように放電セルの面積が小さくなり、書込み待機時間の増加に伴う書込みミスが発生しやすくなるため、この場合に書込みミスをより効果的に低減することができる。
【００３９】
また、本発明のプラズマディスプレイ装置は、それぞれ対をなす走査電極及び維持電極からなる複数の表示電極対と複数のデータ電極とが間隙を有して交差するように配設され、前記表示電極対と前記データ電極とのそれぞれの間隙からなる放電空間と、前記放電空間となる前記間隙を形成する前記表示電極対及び前記データ電極とを有する複数の放電セルを有したプラズマディスプレイパネルと、前記プラズマディスプレイパネルを駆動する駆動装置とを備え、前記駆動装置は、前記表示電極対を、複数の電極グループにグループ分けし、１フィールド期間を、それぞれ、前記放電セル内部を書込み放電が可能な帯電状態にするための初期化期間と、前記初期化期間の後に続く期間であって点灯させるべき前記放電セルに前記書込み放電を生じさせるための書込み期間と、前記書込み期間の後に続く期間であって前記書込み放電を生じさせた前記放電セルを点灯させるための維持期間とを有する複数のサブフィールド期間に分割し、各サブフィールド期間の前記書込み期間を、それぞれ異なる１つの前記電極グループを割り当てるようにして複数のサブ期間に分割し、それぞれの前記サブ期間に、前記サブ期間に割り当てられた電極グループの前記放電セルのうち前記点灯させるべき放電セルに前記書込み放電を生じさせるために、前記サブ期間に割り当てられた電極グループの前記維持電極に対し、第１待機電位を与えるとともに、前記走査電極に対し、選択と非選択とに応じて選択電位と第１非選択電位とを与えるようにして前記走査電極を順次選択し、各々の前記走査電極の選択と同期して選択すべき前記データ電極に書込み電位を与えるようにし、前記複数のサブ期間のうち最後の前記サブ期間を除く一の前記サブ期間においてそれぞれの前記走査電極に対して前記選択電位を与える時間を、前記最後のサブ期間においてそれぞれの前記走査電極に対して前記選択電位を与える時間よりも短くし、一の前記電極グループに割り当てたサブ期間より前のいずれかの前記サブ期間において、前記一の電極グループの前記維持電極に対し、前記第１待機電位より低い第２待機電位を与えるように構成されている。
【００４０】
この構成によれば、初期化期間の後に続く書込み期間を複数のサブ期間に分割し、ある電極グループ（電極グループαとする）を割り当てたサブ期間より前のいずれかのサブ期間において、その電極グループαの維持電極に対し、第１待機電位より低い第２待機電位を与えることにより、電極グループαに対応する放電セルにおいて、従来問題になっていた壁電荷の中和をより抑制することができる。
【００４１】
さらに、あるサブ期間（例えば、サブ期間Ｔｘとする）において走査電極に対して選択電位を与える時間を、最後のサブ期間において走査電極に対して選択電位を与える時間よりも短くすることにより、サブ期間Ｔｘを短縮し、サブ期間Ｔｘより後のサブ期間を初期化期間終了時に近づけることができ、サブ期間Ｔｘより後のサブ期間において書込み放電の対象となりうる放電セルの書込み待機中における壁電荷及びプライミング粒子の減少を抑えることが可能になる。
【００４２】
以上のことから、初期化期間終了時における書込み放電が可能な帯電状態の維持をより良好に行うことができ、書込み待機時間の増加による書込みミスをより低減することが可能になる。
【００４３】
なおここで、前記一の電極グループに割り当てたサブ期間より前のいずれかの前記サブ期間において、前記一の電極グループの前記走査電極に対し、前記第１非選択電位より高い第２非選択電位を与える駆動を上記駆動方法と共に併用することが望ましい。
【００４４】
こうすれば、初期化期間の後に続く書込み期間を複数のサブ期間に分割し、ある電極グループ（電極グループαとする）を割り当てたサブ期間より前のいずれかのサブ期間において、その電極グループαの走査電極に対し、第１非選択電位より高い第２非選択電位を与えるともに、電極グループαの維持電極に対し、第１待機電位より低い第２待機電位を与えることになり、電極グループαに対応する放電セルにおいて、従来問題になっていた壁電荷の中和がより適切に抑制され、初期化期間終了時における書込み放電が可能な帯電状態の維持をより良好に行うことができ、書込み待機時間の増加による書込みミスをより低減することが可能になる。
【００４５】
また、前記駆動装置は、各サブフィールド期間において、前記初期化期間に、前記走査電極に対し、上昇後に下降する第１のランプ電位と、前記第１のランプ電位の最高電位よりも低い電位から下降する第２のランプ電位とのうちのいずれかを与えるようにし、前記第２非選択電位は、前記第１のランプ電位の最高電位より低いようにすればよい。
【００４６】
また、前記第２待機電位は、前記選択電位より高いようにすればよい。
【００４７】
また、前記第２待機電位は、接地電位であるようにしてもよい。
【００４８】
また、前記電極グループのグループ数が２つであるようにしてもよい。
【００４９】
電極グループのグループ数の増加は、走査電極及び維持電極を駆動する回路の複雑化及び制御の複雑化を招くことになり、このようなデメリットを考慮すれば電極グループのグループ数を２つにするのが好ましい。
【００５０】
また、前記駆動装置は、前記一の電極グループの前記走査電極に対し、前記第１非選択電位から前記第２非選択電位に変化する第１電位パルスを与えるとともに、前記一の電極グループの前記維持電極に対し、前記第１待機電位から前記第２待機電位に変化する第２電位パルスを与え、前記第１電位パルスによる前記第２非選択電位の付与期間と、前記第２電位パルスによる前記第２待機電位の付与期間と、が異なるようにしてもよい。
【００５１】
これにより、走査電極に付与される急激な電位の変化および、維持電極に付与される急激な電位の変化の同時発生が回避され、このような電位変化の相互干渉に基づくＰＤＰの放射ノイズを適切に低減できる。
【００５２】
また、前記放電セルに、分圧比が７％以上のキセノンガスを含む放電ガスが充填されているようにしてもよい。
【００５３】
放電セル内のキセノンガスの分圧比が７％以上の高い分圧比において書込み待機時間の増加による書込みミスが多発していたので、この場合に書込みミスをより効果的に低減することができる。
【００５４】
また、各々の前記データ電極が全ての前記走査電極と交差するように配設され、前記駆動装置は前記書込み期間において前記走査電極を１本ずつ選択するようにしてもよい。
【００５５】
これはシングルスキャン方式を用いた構成であり、このシングルスキャン方式では、ダブルスキャン方式よりも書込み待機時間が増加するため、この場合に書込みミスをより効果的に低減することができる。
【００５６】
また、各々の前記放電セルの占有面積が、２．６９６×１０-4ｃｍ2以上、４．４３２×１０-3ｃｍ2以下であってもよい。
【００５７】
プラズマディスプレイパネルの解像度が例えば１００万画素（ＨＤ）以上のように高くなると、上記のように放電セルの面積が小さくなり、書込み待機時間の増加に伴う書込みミスが発生しやすくなるため、この場合に書込みミスをより効果的に低減することができる。
【発明の効果】
【００５８】
本発明は、以上に説明した構成を有し、書込みミスをより低減し、良好な画質を得ることができるプラズマディスプレイパネルの駆動方法及びプラズマディスプレイ装置を提供することができるという効果を奏する。
【発明を実施するための最良の形態】
【００５９】
以下、本発明の好ましい実施の形態を、図面を参照しながら説明する。
【００６０】
（実施の形態１）
図１は本発明の実施の形態に用いるプラズマディスプレイパネルの要部を示す斜視図である。
【００６１】
このプラズマディスプレイパネル１（以下、「ＰＤＰ１」という）は、ガラス製の前面基板２と背面基板３とを互いに主面を対向配置して、その間に放電空間を形成するように構成されている。前面基板２の主面には、表示電極対を構成する走査電極４と維持電極５とが互いに平行に対をなして複数形成されている。そして、走査電極４および維持電極５を覆うように誘電体層６が形成され、さらに誘電体層６を覆う保護層７が形成されている。保護層７としては安定した放電を発生させるために二次電子放出係数が大きくかつ耐スパッタ性の高い材料が望ましく、例えば、ＭｇＯ薄膜が用いられている。また、背面基板３の主面には、複数のデータ電極９が形成され、その上にデータ電極９を覆う絶縁体層８が形成され、データ電極９の間の絶縁体層８上にデータ電極９と平行して隔壁１０が設けられている。また、絶縁体層８の表面および隔壁１０の側面に蛍光体層１１が設けられている。そして、走査電極４および維持電極５とデータ電極９とが交差するように前面基板２と背面基板３とを対向配置しており、その間に形成される放電空間には、放電ガスとして、例えば、ヘリウム、ネオン、キセノンまたはこれらの混合ガスが封入されている。
【００６２】
図２は本発明の実施の形態に用いるＰＤＰ１の電極配列図である。行方向にｎ本の走査電極ＳＣＮ１〜ＳＣＮｎ（図１の走査電極４）およびｎ本の維持電極ＳＵＳ１〜ＳＵＳｎ（図１の維持電極５）が交互に配列され、列方向にｍ本のデータ電極Ｄ１〜Ｄｍ（図１のデータ電極９）が配列されている。そして、対をなす走査電極ＳＣＮｉおよび維持電極ＳＵＳｉ（ｉ＝１〜ｎ）と１つのデータ電極Ｄｊ（ｊ＝１〜ｍ）とが、放電空間を挟んで交差する領域およびその近傍領域が画像表示に寄与する１つの放電セル２１となる。したがって、各放電セル２１は、１対の表示電極対（走査電極ＳＣＮｉおよび維持電極ＳＵＳｉ）と１つのデータ電極とを備え、それらの間の放電空間を含んで構成される。このＰＤＰ１には、放電セル２１がｍ×ｎ個形成されている。
【００６３】
このような構成のＰＤＰ１において、各放電セル内でガス放電により紫外線を発生させ、この紫外線で蛍光体層１１の蛍光体を励起発光させる。蛍光体層１１を放電セルごとに、例えば、光の３原色である赤緑青（ＲＧＢ）に塗り分ければ、カラー表示を行うことができる。
【００６４】
図３は本発明の実施の形態におけるプラズマディスプレイ装置の構成を示すブロック図である。
【００６５】
本実施の形態におけるプラズマディスプレイ装置は、ＰＤＰ１と、その駆動装置とを備えている。駆動装置は、データ電極駆動回路１２、走査電極駆動回路１３、維持電極駆動回路１４、タイミング発生回路１５、Ａ／Ｄ（アナログ・デジタル）変換器１６、走査数変換部１７、サブフィールド変換部１８及びＡＰＬ（アベレージ・ピクチャ・レベル）検出部１９を備えて構成されている。
【００６６】
図３において、水平同期信号Ｈおよび垂直同期信号Ｖはタイミング発生回路１５、ＡＤ変換器１６、走査数変換部１７及びサブフィールド変換部１８に入力される。
【００６７】
タイミング発生回路１５は、水平同期信号Ｈおよび垂直同期信号Ｖをもとにして各々の駆動回路１２、１３、１４のタイミング信号を発生し、各々のタイミング信号をデータ電極駆動回路１２、走査電極駆動回路１３および維持電極駆動回路１４に与える。データ電極駆動回路１２は、与えられるタイミング信号に基づいてデータ電極Ｄ１〜Ｄｍを駆動し、走査電極駆動回路１３は、与えられるタイミング信号に基づいて走査電極ＳＣＮ１〜ＳＣＮｎを駆動し、維持電極駆動回路１４は、与えられるタイミング信号に基づいて維持電極ＳＵＳ１〜ＳＵＳｎを駆動する。
【００６８】
また、アナログの画像信号ＶＤはＡ／Ｄ変換器１６に入力される。Ａ／Ｄ変換器１６は、アナログの画像信号ＶＤをデジタル信号の画像データに変換し、その画像データを走査数変換部１７およびＡＰＬ検出部１９に出力する。ＡＰＬ検出部１９は画像データの平均輝度レベル（ＡＰＬ）を検出し、タイミング発生回路１５へ出力する。走査数変換部１７は、画像データをＰＤＰ１の画素数に応じた画像データに変換し、サブフィールド変換部１８に出力する。サブフィールド変換部１８は、各画素の画像データを、１フィールドを構成する複数のサブフィールドに対応する複数のビットに分割し、サブフィールド毎の画像データをデータ電極駆動回路１２に出力する。データ電極駆動回路１２は、サブフィールド毎の画像データを各データ電極Ｄ１〜Ｄｍに対応する信号に変換し、その信号に基づいて各々のサブフィールドの書込み期間において各データ電極Ｄ１〜Ｄｍを駆動する。
【００６９】
また、タイミング発生回路１５は、ＡＰＬ検出部１９から出力される平均輝度レベルに基づいて、１フィールドを構成する各々のサブフィールドの初期化期間において全セル初期化動作か選択初期化動作のいずれの動作を行うかを決定して、１フィールド内の全セル初期化動作の回数を制御する。このような構成は、公知であり（例えば、特開２００５−３２６６１１号公報等）、その詳細な説明は省略する。また、本実施の形態では、全セル初期化動作を行うか、あるいは選択初期化動作を行うかの決定を画像データの平均輝度レベルに基づいて行うようにしているが、このような構成に限られるものではなく、例えば、ＡＰＬ検出部１９を設けずに、各々のサブフィールドの初期化期間について全セル初期化動作を行うか、あるいは選択初期化動作を行うかが予め定められてあってもよい。
【００７０】
図４は、本発明の実施の形態における走査電極及び維持電極とそれぞれの駆動回路との接続関係を示す図である。
【００７１】
走査電極ＳＣＮ１〜ＳＣＮｎは、ＰＤＰ１内部においては、ＰＤＰ１の上端から下端方向へ、ＳＣＮ１、ＳＣＮ２、・・・ＳＣＮｎの順に配列されており、それぞれ外部へ引き出されて走査電極駆動回路１３へ接続されている。同様に維持電極ＳＵＳ１〜ＳＵＳｎは、ＰＤＰ１内部においては、ＰＤＰ１の上端から下端方向へ、ＳＵＳ１，ＳＵＳ２，・・・ＳＵＳｎの順に配列されて、それぞれ外部へ引き出されて維持電極駆動回路１４へ接続されている。
【００７２】
走査電極駆動回路１３は、その内部に第１駆動回路１３Ａ及び第２駆動回路１３Ｂを有している。また、走査電極駆動回路１３内部において、走査電極ＳＣＮ１〜ＳＣＮｎは、上半分（番号が小さい側）の走査電極ＳＣＮａ（ａ＝１、２、・・・、ｎ／２）のグループ４Ａと、下半分（番号が大きい側）の走査電極ＳＣＮｂ（ｂ＝ｎ／２＋１、・・・、ｎ−１、ｎ）のグループ４Ｂとにグループ分けされ、グループ４Ａの走査電極ＳＣＮａはそれらを駆動する第１駆動回路１３Ａに接続され、グループ４Ｂの走査電極ＳＣＮｂはそれらを駆動する第２駆動回路１３Ｂに接続されている。ここで、第１駆動回路１３Ａには、複数の出力端子Ｐ１、Ｐ２、・・・、Ｐｚ（ｚ＝ｎ／２）が設けられ、それぞれに上半分の走査電極ＳＣＮａが配列順に接続されている。同様に、第２駆動回路１３Ｂには、複数の出力端子Ｑ１、Ｑ２、・・・、Ｑｚが設けられ、それぞれに下半分の走査電極ＳＣＮｂが配列順に接続されている。また、走査電極駆動回路１３には、タイミング発生回路１５から与えられるタイミング信号に基づいて第１駆動回路１３Ａ及び第２駆動回路１３Ｂを制御する制御回路（図示せず）を有している。
【００７３】
維持電極駆動回路１４は、その内部に第１駆動回路１４Ａ及び第２駆動回路１４Ｂを有している。また、維持電極駆動回路１４内部において、維持電極ＳＵＳ１〜ＳＵＳｎは、上半分の維持電極ＳＵＳａ（ａ＝１、２、・・・、ｎ／２）のグループ５Ａと、下半分の維持電極ＳＵＳｂ（ｂ＝ｎ／２＋１、・・・、ｎ−１、ｎ）のグループ５Ｂとにグループ分けされ、グループ５Ａの維持電極ＳＵＳａは共通接続されて、それらを駆動する第１駆動回路１４Ａの出力端子Ｒに接続され、グループ５Ｂの走査電極ＳＵＳｂは共通接続されて、それらを駆動する第２駆動回路１４Ｂの出力端子Ｓに接続されている。また、維持電極駆動回路１４には、タイミング発生回路１５から与えられるタイミング信号に基づいて第１駆動回路１４Ａ及び第２駆動回路１４Ｂを制御する制御回路（図示せず）を有している。
【００７４】
また、以下の説明では、上半分の走査電極ＳＣＮａのグループ４Ａと上半分の維持電極ＳＵＳａのグループ５Ａとを電極グループＡとし、下半分の走査電極ＳＣＮｂのグループ４Ｂと下半分の維持電極ＳＵＳｂのグループ５Ｂとを電極グループＢとする。
【００７５】
次に、本実施の形態のＰＤＰの駆動方法について説明する。
【００７６】
本実施の形態のＰＤＰの駆動方法も、従来例と同様、サブフィールド法による駆動方法であり、各サブフィールドはそれぞれ初期化期間、書込み期間および維持期間から構成されている。また、初期化期間においては、画像表示を行うすべての放電セルに対して初期化放電を行わせる全セル初期化動作と、直前のサブフィールドの維持期間中に点灯した放電セルに対してのみ選択的に初期化放電を行わせる選択初期化動作とのうちのいずれかの動作を行うことにより、各放電セルの内部が書込み期間における書込み放電が可能な帯電状態、すなわち書込み放電を行うのに適した壁電荷量になる。この初期化期間及び維持期間における駆動方法は、図６に示された従来例と同様であり、書込み期間における駆動方法が従来例とは異なる。なお、壁電荷は、電極を覆う誘電体層あるいは蛍光体層上に蓄積される。
【００７７】
図５は本実施の形態のＰＤＰの駆動方法による各電極に与える駆動電位信号の波形図である。この図５では、上半分の走査電極グループ４Ａのある１つの走査電極ＳＣＮａと、下半分の走査電極グループ４Ｂのある１つの走査電極ＳＣＮｂと、上半分の維持電極グループ５Ａの維持電極ＳＵＳａと、下半分の維持電極グループ５Ｂの維持電極ＳＵＳｂと、データ電極Ｄ１〜Ｄｍとについて、ある１つのサブフィールド期間における駆動電位信号を示している。なお、初期化期間及び維持期間においては、走査電極駆動回路１３から全ての走査電極ＳＣＮ１〜ＳＣＮｎに共通の走査電極駆動電位信号が与えられるとともに、全ての維持電極ＳＵＳ１〜ＳＵＳｎに共通の維持電極駆動電位信号が与えられる。
【００７８】
図５に示された初期化期間では、全セル初期化動作を行う。この初期化期間の前半部では、維持電極ＳＵＳ１〜ＳＵＳｎおよびデータ電極Ｄ１〜Ｄｍを０（Ｖ）に保持し、走査電極ＳＣＮ１〜ＳＣＮｎに対して放電開始電圧以下となる電位Ｖｐ（Ｖ）から放電開始電圧を超える電位Ｖｒ（Ｖ）に向かって緩やかに上昇するランプ電位を与える。これにより、走査電極ＳＣＮ１〜ＳＣＮｎを陽極とし維持電極ＳＵＳ１〜ＳＵＳｎおよびデータ電極Ｄ１〜Ｄｍを陰極とする微弱な初期化放電が発生する。このようにして、全ての放電セルにおいて１回目の微弱な初期化放電を発生させ、走査電極ＳＣＮ１〜ＳＣＮｎ上に負の壁電荷を蓄えるとともに維持電極ＳＵＳ１〜ＳＵＳｎ上およびデータ電極Ｄ１〜Ｄｍ上に正の壁電荷を蓄える。この初期化期間の前半部の微弱放電は前のサブフィールドでの維持放電の有無にかかわらず、全ての放電セルにおいて発生するものである。
【００７９】
続いて初期化期間の後半部では、維持電極ＳＵＳ１〜ＳＵＳｎを正の電位Ｖｈ（Ｖ）に保ち、走査電極ＳＣＮ１〜ＳＣＮｎに電位Ｖｇ（Ｖ）から電位Ｖａ（Ｖ）に向かって緩やかに下降するランプ電位を与える。これにより、全ての放電セルにおいて、走査電極ＳＣＮ１〜ＳＣＮｎを陰極とし維持電極ＳＵＳ１〜ＳＵＳｎおよびデータ電極Ｄ１〜Ｄｍを陽極とする２回目の微弱な初期化放電が起きる。これにより、初期化期間の前半部において走査電極ＳＣＮ１〜ＳＣＮｎ、維持電極ＳＵＳ１〜ＳＵＳｎ、およびデータ電極Ｄ１〜Ｄｍ上に過剰に蓄えられた壁電荷が減らされ、次の書込み期間における書込み動作に適した壁電荷量に調整される。
【００８０】
このように、全セル初期化動作では、全ての放電セルで一斉に初期化放電を行い、それ以前の個々の放電セルに対する壁電荷の履歴を消去するとともに、書込み動作のために必要な壁電荷形成を行う。また、放電遅れを小さくし、書込み放電を安定して発生させるためのプライミング粒子（放電のための起爆剤＝励起粒子）を発生させる。
【００８１】
次に、書込み期間は、第１のサブ期間Ｔａと第２のサブ期間Ｔｂとで構成される。第１のサブ期間Ｔａは、上半分の電極グループＡに割り当てられたサブ期間、すなわち電極グループＡに対応する放電セルに対して書込み動作を行う期間である。また、第２のサブ期間Ｔｂは、下半分の電極グループＢに割り当てられたサブ期間、すなわち電極グループＢに対応する放電セルに対して書込み動作を行う期間である。各電極グループＡ、Ｂ内では、例えば、画面の上側（番号が小さい行）の走査電極に対応する放電セルから順番に画面の下側（番号が大きい行）の走査電極に対応する放電セルに対して書込み動作を行うようにする。
【００８２】
第１のサブ期間Ｔａでは、まず、走査電極ＳＣＮ１〜ＳＣＮｎを一旦、第１非選択電位Ｖｓ（Ｖ）に保持した後、電極グループＢの全ての走査電極ＳＣＮｂを第１非選択電位Ｖｓ（Ｖ）よりも高い第２非選択電位Ｖｘ（Ｖ）に保持するとともに、電極グループＢの全ての維持電極ＳＵＳｂを第１待機電位である電位Ｖｈ（Ｖ）よりも低い第２待機電位Ｖｙ（Ｖ）に保持する。要するに、第２駆動回路１３Ｂ（図４参照）は、第１のサブ期間Ｔａにおいて、図５に示す如く、電極グループＢの走査電極ＳＣＮｂに対し、第１非選択電位Ｖｓ（Ｖ）からこれより高い第２非選択電位Ｖｘ（Ｖ）に変化する第１電位パルスＳ１を与えるとともに、電極グループＢの記維持電極ＳＵＳｂに対し、第１待機電位Ｖｈ（Ｖ）からこれより低い第２待機電位Ｖｙ（Ｖ）に変化する第２電位パルスＳ２を与えている。一方、電極グループＡの全ての維持電極ＳＵＳａについては初期化期間から保持されている第１待機電位である電位Ｖｈ（Ｖ）を維持する。その後、電極グループＡに対応する放電セルに対して書込み動作を行う。まず、電極グループＡに対応する最初の行である１行目の放電セルに対して書込み動作を行う。この書込み動作では、１行目の走査電極ＳＣＮ１に選択電位である走査パルス電位Ｖｂ（Ｖ）を与えるとともに、データ電極Ｄ１〜Ｄｍのうち、１行目に点灯させるべき放電セルのデータ電極Ｄｋに正の書込みパルス電位Ｖｗ（Ｖ）を与える。このとき、データ電極Ｄｋと走査電極ＳＣＮ１との交差部の電圧は、外部印加電圧（Ｖｗ−Ｖｂ）に、データ電極Ｄｋ上の壁電荷により生じる電圧および走査電極ＳＣＮ１上の壁電荷により生じる電圧の大きさが加算されたものとなり、放電開始電圧を超える。そして、データ電極Ｄｋと走査電極ＳＣＮ１との間および維持電極ＳＵＳ１と走査電極ＳＣＮ１との間に書込み放電が起こり、この放電セルの走査電極ＳＣＮ１上に正の壁電荷が蓄積され、維持電極ＳＵＳ１上に負の壁電荷が蓄積され、データ電極Ｄｋ上にも負の壁電荷が蓄積される。このようにして、１行目に点灯させるべき放電セルで書込み放電を起こして各電極上に壁電荷を蓄積する書込み動作が行われる。一方、正の書込みパルス電位Ｖｗ（Ｖ）を与えなかったデータ電極と走査電極ＳＣＮ１との交差部の電圧は放電開始電圧を超えないので、書込み放電は発生しない。次に、同様にして２行目の放電セルに対して書込み動作を行う。以降も同様に、電極グループＡに対応する最後の行であるｎ／２行目の放電セルに至るまで順次書込み動作を行う。そして、ｎ／２行目の放電セルに対する書込み動作が終了すると、電極グループＢの全ての走査電極ＳＣＮｂを第１非選択電位Ｖｓ（Ｖ）に保持するとともに、電極グループＢの全ての維持電極ＳＵＳｂを第１待機電位である電位Ｖｈ（Ｖ）に保持し、第１のサブ期間Ｔａが終了する。なお、第１待機電位Ｖｈ（Ｖ）は、走査電極の第１非選択電位Ｖｓ（Ｖ）よりも高く、維持パルス電位Ｖｍ（Ｖ）よりも低い電位に設定される。
【００８３】
次に、第２のサブ期間Ｔｂでは、その期間中、電極グループＡ、Ｂの全ての維持電極ＳＵＳ１〜ＳＵＳｎについて保持されている電位Ｖｈ（Ｖ）を維持する。そして、電極グループＢに対応する放電セルに対して書込み動作を行う。まず、電極グループＢに対応する最初の行である（ｎ／２＋１）行目の放電セルに対して書込み動作を行う。この（ｎ／２＋１）行目の放電セルに対する書込み動作は、前述の１行目の放電セルに対する書込み動作と同様である（但し、後述のように、１ライン書込み時間ｔａ、ｔｂが異なる）。次に、同様にして（ｎ／２＋２）行目の放電セルに対して書込み動作を行う。以降も同様に、電極グループＢに対応する最後の行であるｎ行目の放電セルに至るまで順次書込み動作を行う。そして、ｎ行目の放電セルに対する書込み動作が終了すると、全ての維持電極ＳＵＳ１〜ＳＵＳｎを０Ｖに保持し、第２のサブ期間Ｔｂが終了する。
【００８４】
このように本実施の形態における書込み期間では、電極グループＡに対応する行の放電セルに対して書込み動作を行った後、電極グループＢに対応する行の放電セルに対して書込み動作を行うようにし、それぞれの書込み動作では、走査電極に順次走査パルスを与えるとともに、データ電極には表示すべき画像信号に対応した書込みパルス電位を与えることにより、走査電極とデータ電極との間及び走査電極と維持電極との間で選択的に書込み放電を起こし、選択的に壁電荷形成を行う。
【００８５】
さらに、本実施の形態では、各走査電極に走査パルス電位Ｖｂ（Ｖ）を与える時間である１ライン書込み時間を、第１のサブ期間Ｔａと第２のサブ期間Ｔｂとで異ならせている。すなわち、第１のサブ期間Ｔａにおける１ライン書込み時間ｔａを、第２のサブ期間Ｔｂにおける１ライン書込み時間ｔｂよりも短くしている。第１のサブ期間Ｔａでは、第２のサブ期間Ｔｂと比較して、初期化期間終了時からの経過時間が短く、放電セル内の壁電荷及びプライミング粒子の減少が少ないため、放電遅れが小さく、１ライン書込み時間ｔａを短くしても良好な書込み放電が得られる。そして、１ライン書込み時間ｔａを短くすることにより、第１のサブ期間Ｔａを短縮できる。また、書込み期間中の壁電荷の中和量は、初期化期間の動作終了時から書込み動作が行われるまでの時間（書込み待機時間）が長い放電セルほど大きく、また、壁電荷の中和現象は、初期化放電によるプライミング粒子の大量発生等により、初期化期間の動作終了直後ほど顕著に発生するため、第１のサブ期間Ｔａを短くすることにより、第１のサブ期間Ｔａにおいて書込み動作の対象となる放電セルの書込み待機中における壁電荷及びプライミング粒子の減少を抑えることが可能になり、第１のサブ期間Ｔａの後半部における書込みミスをより防止することができる。また、第１のサブ期間Ｔａを短縮することにより、第２のサブ期間Ｔｂを初期化期間終了時に近づけることができ、第２のサブ期間Ｔｂにおいても書込み動作の対象となる放電セルの書込み待機中における壁電荷及びプライミング粒子の減少を抑えることが可能になり、第２のサブ期間Ｔｂにおける書込みミスを防止することができる。
【００８６】
次に、維持期間では、まず、維持電極ＳＵＳ１〜ＳＵＳｎを０（Ｖ）に戻し、走査電極ＳＣＮ１〜ＳＣＮｎに正の維持パルス電位Ｖｍ（Ｖ）を与える。このとき、書込み放電を起こした放電セルにおいて、放電空間における走査電極ＳＣＮｉ近傍部分と維持電極ＳＵＳｉ近傍部分との間の電圧は、維持パルス電圧（Ｖｍ）に走査電極ＳＣＮｉ上の壁電荷により生じる電圧および維持電極ＳＵＳｉ上の壁電荷により生じる電圧の大きさが加算されたものとなり放電開始電圧を超える。そして、走査電極ＳＣＮｉと維持電極ＳＵＳｉとの間に維持放電が起こり、走査電極ＳＣＮｉ上に負の壁電荷が蓄積され、維持電極ＳＵＳｉ上に正の壁電荷が蓄積される。このときデータ電極Ｄｋ上にも正の壁電荷が蓄積される。書込み期間において書込み放電が起きなかった放電セルでは維持放電は発生せず、初期化期間の終了時における壁電荷状態が保持される。続いて、走査電極ＳＵＳ１〜ＳＵＳｎを０（Ｖ）に戻し、維持電極ＳＵＳ１〜ＳＵＳｎに正の維持パルス電位Ｖｍ（Ｖ）を与える。これにより、維持放電を起こした放電セルでは、放電空間における維持電極ＳＵＳｉ近傍部分と走査電極ＳＣＮｉ近傍部分との間の電圧は放電開始電圧を超えるので、再び維持電極ＳＵＳｉと走査電極ＳＣＮｉとの間に維持放電が起こり、維持電極ＳＵＳｉ上に負の壁電荷が蓄積され走査電極ＳＣＮｉ上に正の壁電荷が蓄積される。以降同様に、走査電極ＳＣＮ１〜ＳＣＮｎと維持電極ＳＵＳ１〜ＳＵＳｎとに交互に維持パルスを与えることにより、書込み期間において書込み放電を起こした放電セルにおいて維持放電が継続して行われることにより点灯する。このとき、この維持パルスの回数が輝度の重みとなり、各サブフィールドにおいて維持パルス数を異ならせ、それらの組み合わせにより任意の階調を実現する。なお、維持期間の最後には走査電極ＳＣＮ１〜ＳＣＮｎと維持電極ＳＵＳ１〜ＳＵＳｎとの間にいわゆる細幅パルスを印加して、データ電極Ｄｋ上の正の壁電荷を残したまま、走査電極ＳＣＮ１〜ＳＣＮｎおよび維持電極ＳＵＳ１〜ＳＵＳｎ上の壁電荷を消去している。このようにして維持期間における維持動作が終了する。このように、維持期間では、走査電極と維持電極との間に輝度重みに応じた所定の回数の維持パルス電圧を印加し、書込み放電による壁電荷形成を行った放電セルを選択的に放電させ発光（点灯）させる。
【００８７】
次に、初期化期間に選択初期化動作を行うサブフィールドにおける動作を説明する。
【００８８】
この初期化期間については図示していないが、図６の例えば第２ＳＦの初期化期間と同様であり、維持電極ＳＵＳ１〜ＳＵＳｎをＶｈ（Ｖ）に保持し、データ電極Ｄ１〜Ｄｍを０（Ｖ）に保持し、走査電極ＳＣＮ１〜ＳＣＮｎにＶｑ（Ｖ）からＶａ（Ｖ）に向かって緩やかに下降するランプ電位を与える。これにより、直前のサブフィールドの維持期間で維持放電を行った放電セルでは、走査電極ＳＣＮ１〜ＳＣＮｎを陰極とし維持電極ＳＵＳ１〜ＳＵＳｎおよびデータ電極Ｄ１〜Ｄｍを陽極とする微弱な初期化放電が発生し、走査電極ＳＣＮｉ、維持電極ＳＵＳｉ上の壁電荷およびデータ電極Ｄｋ上の過剰な壁電荷が書込み動作に適した壁電荷量に調整される。一方、直前のサブフィールドで書込み放電および維持放電が行われなかった放電セルについては、放電は発生しない。
【００８９】
この後に続く書込み期間および維持期間については、初期化期間に全セル初期化動作を行うサブフィールドの書込み期間および維持期間と同様であるため説明を省略する。
【００９０】
なお、本実施の形態では、維持電極ＳＵＳ１〜ＳＵＳｎに対し書込み期間に与える第１待機電位Ｖｈ（Ｖ）が初期化期間に与える正の電位Ｖｈ（Ｖ）と等しくなるように構成しているが、必ずしもこのような構成に限られるものではなく、例えば、書込み期間に与える第１待機電位Ｖｈ（Ｖ）が、初期化期間に与える正の電位よりも若干（例えば５〜２０Ｖ程度）高くなるように構成してもよい。
【００９１】
本実施の形態では、書込み期間の第１のサブ期間Ｔａにおいて、電極グループＢの全ての走査電極ＳＣＮｂに与える第２非選択電位Ｖｘ（Ｖ）を、第１非選択電位Ｖｓ（Ｖ）よりも電圧Ｖｓｃｎ２の分だけ高い電位とし、電圧Ｖｓｃｎ２を走査パルス電圧Ｖｓｃｎと等しくなるように設定している。この第２非選択電位Ｖｘ（Ｖ）は、第１非選択電位Ｖｓ（Ｖ）よりも高く、全セル初期化動作を行う初期化期間の最高電位Ｖｒよりも低い電位に設定すればよい。但し、走査電極ＳＣＮｂと、維持電極ＳＵＳｂ及びデータ電極Ｄ１〜Ｄｍとの間で、放電が発生しないような電位に設定する。
【００９２】
また、第１のサブ期間Ｔａにおいて、電極グループＢの全ての維持電極ＳＵＳｂに与える第２待機電位Ｖｙ（Ｖ）を接地電位に設定している。この第２待機電位Ｖｙ（Ｖ）は、第１待機電位Ｖｈ（Ｖ）よりも低く、走査電極の選択電位Ｖｂ（Ｖ）よりも高い電位に設定すればよい。但し、維持電極ＳＵＳｂと、走査電極ＳＣＮｂ及びデータ電極Ｄ１〜Ｄｍとの間で、放電が発生しないような電位に設定する。
【００９３】
上記の駆動方法において、初期化期間及び維持期間の動作については、図６に示された従来例と同様であり、データ電極駆動回路１２によって全てのデータ電極Ｄ１〜Ｄｍが同一の電位（例えば０Ｖ）に保持され、走査電極駆動回路１３の第１及び第２駆動回路１３Ａ、１３Ｂによって全ての走査電極ＳＣＮ１〜ＳＣＮｎが同じように駆動され、維持電極駆動回路１４の第１及び第２駆動回路１４Ａ、１４Ｂによって全ての維持電極ＳＵＳ１〜ＳＵＳｎが同じように駆動される。
【００９４】
また、書込み期間において書込み動作を行う行の選択順（走査電極の選択順）は、予めデータ電極駆動回路１２に記憶されているか、あるいはデータ電極駆動回路１２が行の選択順に応じて動作するように構成されており、データ電極駆動回路１２は、サブフィールド変換部１８から入力されるサブフィールド毎の画像データを、各データ電極Ｄ１〜Ｄｍに対応する信号に変換する際、書込み動作を行う行の選択順に応じて各データ電極Ｄ１〜Ｄｍに対応する信号（書込み信号）に変換して各データ電極Ｄ１〜Ｄｍに与える。また、データ電極駆動回路１２は、走査電極駆動回路１３による走査電極の選択に同期して各データ電極Ｄ１〜Ｄｍに書込み信号を与えるように構成され、第１のサブ期間Ｔａにおいて書込み信号を与える時間は、走査電極の選択時間である１ライン書込み時間ｔａに準じ、第２のサブ期間Ｔｂにおいて書込み信号を与える時間は、１ライン書込み時間ｔｂに準じる。
【００９５】
また、書込み期間において、走査電極駆動回路１３は、まず、第１のサブ期間Ｔａに第１駆動回路１３Ａによって走査電極を第１の書込み周期（１ライン書込み時間ｔａ＋走査パルス間の時間）ごとに順次選択し、第２のサブ期間Ｔｂには第２駆動回路１３Ｂによって走査電極を第２の書込み周期（１ライン書込み時間ｔｂ＋走査パルス間の時間）ごとに順次選択するように構成されるとともに、第１のサブ期間Ｔａには第２駆動回路１３Ｂから電極グループＢの全ての走査電極ＳＣＮｂに第２非選択電位Ｖｘ（Ｖ）を与えるように構成されている。なお、１ライン書込み時間ｔａを１ライン書込み時間ｔｂよりも短くしているので、第１の書込み周期も第２の書込み周期よりも短い。また、走査パルス間の時間を短くすることで、第１の書込み周期を略１ライン書込み時間ｔａとし、第２の書込み周期を略１ライン書込み時間ｔｂとすることができる。さらに走査パルス間の時間を０にすれば、第１の書込み周期を１ライン書込み時間ｔａと等しくし、第２の書込み周期を１ライン書込み時間ｔｂと等しくすることができる。
【００９６】
書込み期間の第１のサブ期間Ｔａにおいて、走査電極駆動回路１３では、第１駆動回路１３Ａが、出力端子Ｐ１、Ｐ２、・・・、Ｐｚに対しその並び順に走査パルス電位Ｖｂ（Ｖ）を順次与えることにより、上半分の走査電極ＳＣＮａが所定の選択順（本実施の形態ではＰＤＰ１内の上半分の行についての配列順と同じ）に選択される。また、第２のサブ期間Ｔｂにおいては、第２駆動回路１３Ｂが、出力端子Ｑ１、Ｑ２、・・・、Ｑｚに対しその並び順に走査パルス電位Ｖｂ（Ｖ）を順次与えることにより、下半分の走査電極ＳＣＮｂが所定の選択順（本実施の形態ではＰＤＰ１内の下半分の行についての配列順と同じ）に選択される。このように、ＰＤＰ１内の全ての走査電極における配列順と同じ選択順に走査電極を選択するために、第１駆動回路１３Ａ及び第２駆動回路１３Ｂでは、それぞれの出力端子の並び順に走査パルス電位Ｖｂ（Ｖ）を順次与えるようにすればよいので、第１駆動回路１３Ａ及び第２駆動回路１３Ｂの構成が簡単になる。
【００９７】
以上のように、走査電極駆動回路１３は、書込み期間の書込み動作を行うときには、所定の選択順に走査電極を選択するように構成されている。
【００９８】
また、維持電極駆動回路１４では、第１駆動回路１４Ａによって、初期化期間から続いて書込み期間中に、電極グループＡの全ての維持電極ＳＵＳａに対し第１待機電位Ｖｈ（Ｖ）を与え、第２駆動回路１４Ｂによって、電極グループＢの全ての維持電極ＳＵＳｂに対し、書込み期間の第１のサブ期間Ｔａに第２待機電位Ｖｙ（Ｖ）を与え、第２のサブ期間Ｔｂに第１待機電位Ｖｈ（Ｖ）を与えるように構成されている。
【００９９】
前述の動作から明らかなように、走査電極駆動回路１３において、電極グループＢの走査電極ＳＣＮｂを駆動する第２駆動回路１３Ｂは、第１駆動回路１３Ａに対して、第１のサブ期間Ｔａに、電極グループＢの全ての走査電極ＳＣＮｂに第２非選択電位Ｖｘ（Ｖ）を与えるための構成が追加された構成になっている。また、維持電極駆動回路１４において、電極グループＢの維持電極ＳＵＳｂを駆動する第２駆動回路１４Ｂは、第１駆動回路１４Ａに対して、第１のサブ期間Ｔａに、電極グループＢの全ての維持電極ＳＵＳｂに第２待機電位Ｖｙ（Ｖ）を与えるための構成が追加された構成になっている。
【０１００】
本実施の形態では、初期化期間の後の書込み期間を複数のサブ期間に分割し、第１のサブ期間Ｔａ中に、第１のサブ期間Ｔａより後の第２のサブ期間Ｔｂに割り当てられた電極グループＢの走査電極ＳＣＮｂに対し、第１非選択電位Ｖｓ（Ｖ）より高い第２非選択電位Ｖｘ（Ｖ）を与えることにより、書込み待機中の放電セル（電極グループＢに対応する放電セル）において、放電空間における走査電極ＳＣＮｂ近傍部分とデータ電極Ｄ１〜Ｄｍ近傍部分との間の電位差、及び走査電極ＳＣＮｂ近傍部分と維持電極ＳＵＳｂ近傍部分との間の電位差を小さくして、従来問題になっていた壁電荷の中和を抑制することができる。さらに電極グループＢの維持電極ＳＵＳｂに対し、第１待機電位Ｖｈ（Ｖ）よりも低い第２待機電位Ｖｙ（Ｖ）を与えることにより、書込み待機中の放電セルにおいて、放電空間における走査電極ＳＣＮｂ近傍部分と維持電極ＳＵＳｂ近傍部分との間の電位差をより小さくすることができ、壁電荷の中和をより抑制することができる。すなわち、本実施の形態では、電極グループＢの走査電極ＳＣＮｂの電位および電極グループＢの維持電極ＳＵＳｂの電位の両方を適切に設定という両者の相乗効果に基づき、壁電荷の中和抑制がより効果的になされている。勿論、電極グループＢの走査電極ＳＣＮｂに対し、第１非選択電位Ｖｓ（Ｖ）より高い第２非選択電位Ｖｘ（Ｖ）を与えるだけでも、ある程度の壁電荷の中和を抑制でき、電極グループＢの維持電極ＳＵＳｂに対し、第１待機電位Ｖｈ（Ｖ）よりも低い第２待機電位Ｖｙ（Ｖ）を与えるだけでも、ある程度の壁電荷の中和を抑制できる。
【０１０１】
さらに、第１のサブ期間Ｔａにおける１ライン書込み時間ｔａを、第２のサブ期間Ｔｂにおける１ライン書込み時間ｔｂよりも短くすることにより、第１のサブ期間Ｔａを短縮し、第１のサブ期間Ｔａの後半部及び第２のサブ期間Ｔｂを初期化期間終了時に近づけることができ、第１のサブ期間Ｔａの後半部及び第２のサブ期間Ｔｂにおいて書込み動作の対象となる放電セルの書込み待機中における壁電荷及びプライミング粒子の減少を抑えることが可能になる。
【０１０２】
以上のことから、初期化期間終了時における書込み放電が可能な帯電状態の維持をより良好に行うことができ、書込み待機時間の増加による書込みミスをより低減することが可能になる。
【０１０３】
また、本実施の形態では、書込み動作をシングルスキャン方式で行う構成であり、このシングルスキャン方式では、ダブルスキャン方式よりも書込み待機時間が増加するため、書込み待機時間の増加による書込みミスをより効果的に低減することができる。なお、書込み動作をダブルスキャン方式で行う構成に、本発明を適用してもよい。
【０１０４】
また、従来、放電セル内のキセノンガスの分圧比が７％以上の高い分圧比において書込み待機時間の増加による書込みミスが多発していたので、放電セル内のキセノンガスの分圧比が７％以上の場合に書込みミスをより効果的に低減することができる。
【０１０５】
また、プラズマディスプレイパネルの解像度が例えば１００万画素（ＨＤ）以上のように高い場合には、各々の放電セルの占有面積が、２．６９６×１０-4ｃｍ2以上、４．４３２×１０-3ｃｍ2以下のように小さく、各々の放電セルに蓄積可能な壁電荷量が少なくなり、書込み待機時間の増加に伴う書込みミスが発生しやすくなるため、このような構成の場合に書込みミスをより効果的に低減することができる。なお、各々の放電セルの占有面積が、２．６９６×１０-4ｃｍ2である場合は、例えば、３７型画面において走査電極を１０８０本、データ電極を４３２０×３本備えた構成の場合に相当し、４．４３２×１０-3ｃｍ2である場合は、例えば、１００型画面において走査電極を１０８０本、データ電極を１９２０×３本備えた構成の場合に相当する。
【０１０６】
なお、本実施の形態では、１フィールドを構成する各々のサブフィールドにおいて、書込み期間を第１及び第２のサブ期間Ｔａ、Ｔｂに分割し、前半の第１のサブ期間Ｔａに上半分の電極グループＡを割り当て、後半の第２のサブ期間Ｔｂに下半分の電極グループＢを割り当てるようにしている。この前半と後半の各々のサブ期間に割り当てる電極グループＡ、Ｂを、１フィールドごと、または１サブフィールドごとに異なるようにしてもよい。または、１フィールドごとに異なり、かつ１サブフィールドごとに異なるようにしてもよい。
【０１０７】
電極グループＡ、Ｂを１フィールドごとに異なるサブ期間に割り当てる場合、例えば、第１フィールドの各サブフィールドにおいて、第１のサブ期間に電極グループＡを、第２のサブ期間に電極グループＢを割り当て、第１フィールドに続く第２フィールドの各サブフィールドにおいて、第１のサブ期間に電極グループＢを、第２のサブ期間に電極グループＡを割り当てるようにし、以降のフィールドにおいても同様に繰り返される。この場合、書込み待機時間の増加による書込みミスがたとえ発生したとしても、それによって不灯になる放電セルの位置が１フィールド（例えば周波数が６０Ｈｚの場合には、約１６．７ｍｓ）毎に異なるため、放電セルの不灯による画質劣化が肉眼では認識できず、目立たなくなる。
【０１０８】
電極グループＡ、Ｂを１サブフィールドごとに異なるサブ期間に割り当てる場合、例えば、各フィールドにおいて、第１サブフィールドでは、第１のサブ期間に電極グループＡを、第２のサブ期間に電極グループＢを割り当て、第１サブフィールドに続く第２サブフィールドでは、第１のサブ期間に電極グループＢを、第２のサブ期間に電極グループＡを割り当てるようにし、以降のサブフィールドにおいても同様に繰り返される。この場合、書込み待機時間の増加による書込みミスがたとえ発生したとしても、それによって不灯になる放電セルの位置が１サブフィールド（例えば周波数が６０Ｈｚで、１フィールドが１１個のサブフィールドで構成される場合には、約１．５ｍｓ）毎に異なるため、放電セルの不灯による画質劣化が肉眼では認識できず、目立たなくなる。
【０１０９】
電極グループＡ、Ｂを１フィールドごとに異なり、かつ１サブフィールドごとに異なるサブ期間に割り当てる場合、例えば、第１フィールドにおける第１サブフィールドでは、第１のサブ期間に電極グループＡを、第２のサブ期間に電極グループＢを割り当て、第１サブフィールドに続く第２サブフィールドでは、第１のサブ期間に電極グループＢを、第２のサブ期間に電極グループＡを割り当てるようにし、以降のサブフィールドにおいても同様に繰り返される。そして第１フィールドに続く第２フィールドにおける第１サブフィールドでは、第１のサブ期間に電極グループＢを、第２のサブ期間に電極グループＡを割り当て、第１サブフィールドに続く第２サブフィールドでは、第１のサブ期間に電極グループＡを、第２のサブ期間に電極グループＢを割り当てるようにし、以降のサブフィールドにおいても同様に繰り返される。さらに、以降のフィールドにおいても同様に繰り返される。この場合、書込み待機時間の増加による書込みミスがたとえ発生したとしても、それによって不灯になる放電セルの位置が１フィールド毎及び１サブフィールド毎に異なるため、放電セルの不灯による画質劣化が肉眼では認識できず、目立たなくなる。
【０１１０】
また、本実施の形態では、表示電極対を２つの電極グループにグループ分けするとともに、書込み期間をそれぞれの電極グループが割り当てられる２つのサブ期間からなるようにしたが、３つ以上の電極グループにグループ分けして、書込み期間をそれぞれの電極グループが割り当てられる３つ以上のサブ期間からなるようにしてもよい。例えば、表示電極対を４つの電極グループにグループ分けする場合、図２のように配列された走査電極ＳＣＮ１〜ＳＣＮｎを、ＳＣＮｃ（ｃ＝１〜ｎ／４）、ＳＣＮｄ（ｄ＝（ｎ／４＋１）〜２ｎ／４）、ＳＣＮｅ（ｅ＝（２ｎ／４＋１）〜３ｎ／４）、ＳＣＮｆ（ｆ＝（３ｎ／４＋１）〜ｎ）の４つにグループ分けするとともに、同様に、維持電極ＳＵＳ１〜ＳＵＳｎを、ＳＵＳｃ（ｃ＝１〜ｎ／４）、ＳＵＳｄ（ｄ＝（ｎ／４＋１）〜２ｎ／４）、ＳＵＳｅ（ｅ＝（２ｎ／４＋１）〜３ｎ／４）、ＳＵＳｆ（ｆ＝（３ｎ／４＋１）〜ｎ）の４つにグループ分けして、走査電極ＳＣＮｃと維持電極ＳＵＳｃとを電極グループＣとし、走査電極ＳＣＮｄと維持電極ＳＵＳｄとを電極グループＤとし、走査電極ＳＣＮｅと維持電極ＳＵＳｅとを電極グループＥとし、走査電極ＳＣＮｆと維持電極ＳＵＳｆとを電極グループＦとする。
【０１１１】
この場合、書込み期間を、第１のサブ期間、第２のサブ期間、第３のサブ期間、第４のサブ期間の順に４つのサブ期間に分割し、例えば、電極グループＣを第１のサブ期間に、電極グループＤを第２のサブ期間に、電極グループＥを第３のサブ期間に、電極グループＦを第４のサブ期間に、それぞれ割り当てるようにすればよい。そして、電極グループＣが割り当てられた第１のサブ期間においては、電極グループＤ、Ｅ、Ｆの走査電極及び維持電極に、図５の第１のサブ期間Ｔａにおける電極グループＢの走査電極及び維持電極と同じ電位を与え、電極グループＤが割り当てられた第２のサブ期間においては、電極グループＥ、Ｆの走査電極及び維持電極に、図５の第１のサブ期間Ｔａにおける電極グループＢの走査電極及び維持電極と同じ電位を与え、電極グループＥが割り当てられた第３のサブ期間においては、電極グループＦの走査電極及び維持電極に、図５の第１のサブ期間Ｔａにおける電極グループＢの走査電極及び維持電極と同じ電位を与えるようにすればよい。
【０１１２】
このように、３つ以上の電極グループにグループ分けした場合、任意の電極グループについて、各電極グループが割り当てられたサブ期間より以前の全てのサブ期間において、図５の第１のサブ期間Ｔａにおける電極グループＢと同じ電位を与えるようにすることが最も好ましいが、少なくとも１つの電極グループについて、その電極グループが割り当てられたサブ期間より以前の少なくとも１つのサブ期間において、図５の第１のサブ期間Ｔａにおける電極グループＢと同じ電位を与えるようにすることにより、書込みミスをある程度は低減できる。
【０１１３】
また、３つ以上の電極グループにグループ分けした場合の走査電極の１ライン書込み時間については次のように設定すればよい。例えば前述のように４つの電極グループＣ〜Ｆにグループ分けし、書込み期間を、４つの各電極グループＣ〜Ｆに対応するように第１〜第４の順に４つのサブ期間に分割した場合について説明する。この場合、第１のサブ期間における電極グループＣの１ライン書込み時間をｔｃ、第２のサブ期間における電極グループＤの１ライン書込み時間をｔｄ、第３のサブ期間における電極グループＥの１ライン書込み時間をｔｅ、第４のサブ期間における電極グループＦの１ライン書込み時間をｔｆとすると、ｔｃ＜ｔｄ＜ｔｅ＜ｔｆとすることにより、第１〜第３のサブ期間を短縮して、第２〜第４のサブ期間において書込み動作の対象となる放電セルの書込み待機中における壁電荷及びプライミング粒子の減少を抑えることが可能になる。このように、初期化期間に近いサブ期間ほど１ライン書込み時間が短くなるようにすることが最も好ましいが、ｔｃ＜ｔｄ＜ｔｅ＝ｔｆ、ｔｃ＜ｔｄ＝ｔｅ＜ｔｆ、ｔｃ＝ｔｄ＜ｔｅ＜ｔｆ、ｔｃ＜ｔｄ＝ｔｅ＝ｔｆ、ｔｃ＝ｔｄ＝ｔｅ＜ｔｆ等としても有る程度の効果は得られる。また、ｔｄ＜ｔｅ＝ｔｆ＝ｔｃ、ｔｅ＜ｔｄ＝ｔｆ＝ｔｃとしても少なくとも最後のサブ期間を初期化期間終了時に近づけることができ、有る程度の効果は得られる。すなわち、書込み期間を構成する複数のサブ期間のうち、最後のサブ期間における１ライン書込み時間より短い１ライン書込み時間が設定されるサブ期間が少なくとも１つ存在するようにすればよい。但し、最後のサブ期間における１ライン書込み時間より長い１ライン書込み時間が設定されるサブ期間は存在しないものとする。
【０１１４】
また、３つ以上の電極グループにグループ分けした場合も、各々のサブ期間に割り当てる電極グループを、１フィールドごと、または１サブフィールドごとに異なるようにしてもよいし、または、１フィールドごとに異なり、かつ１サブフィールドごとに異なるようにしてもよい。
【０１１５】
なお、電極グループのグループ数の増加は、走査電極駆動回路１３及び維持電極駆動回路１４の複雑化及び制御の複雑化を招くことになり、このようなデメリットを考慮すれば電極グループのグループ数を２つにするのが好ましい。
【０１１６】
なお、以上では、各々の電極グループに属する表示電極対の数を等しいものとしたが、各々の電極グループに属する表示電極対の数が異なってもよい。
【０１１７】
また、第１非選択電位Ｖｓ（Ｖ）からこれより高い第２非選択電位Ｖｘ（Ｖ）に変化する第１電位パルスＳ１（図５参照）による第２非選択電位Ｖｘ（Ｖ）の付与期間と、第１待機電位Ｖｈ（Ｖ）からこれより低い第２待機電位Ｖｙ（Ｖ）に変化する第２電位パルスＳ２（同図参照）による第２待機電位Ｖｙ（Ｖ）の付与期間と、が異なるようにしてもよい。これにより、走査電極に付与される急激な電位の変化および、維持電極に付与される急激な電位の変化の同時発生が回避され、このような電位変化の相互干渉に基づくＰＤＰの放射ノイズを適切に低減できる。
【産業上の利用可能性】
【０１１８】
本発明に係るプラズマディスプレイパネルの駆動方法及びプラズマディスプレイ装置は、書込みミスをより低減し、良好な画質を得ることができる画像表示装置等として有用である。
【図面の簡単な説明】
【０１１９】
【図１】本発明の実施の形態に用いるプラズマディスプレイパネルの要部を示す斜視図である。
【図２】本発明の実施の形態に用いるプラズマディスプレイパネルの電極配列図である。
【図３】本発明の実施の形態におけるプラズマディスプレイ装置の構成を示すブロック図である。
【図４】本発明の実施の形態における走査電極及び維持電極とそれぞれの駆動回路との接続関係を示す図である。
【図５】本発明の実施の形態におけるプラズマディスプレイパネルの駆動方法による各電極に与える駆動電位信号の波形図である。
【図６】従来のプラズマディスプレイパネルの駆動方法による各電極に与える駆動電位信号の波形図である。
【図７】従来のプラズマディスプレイパネルの駆動方法の問題点を説明するために示された走査電極及び維持電極に与える駆動電位信号の波形図である。
【図８】（ａ）、（ｂ）はそれぞれ図７の時刻ｔ１、ｔ２でのセル内の壁電荷の状態を模式的に示す図である。
【図９】書込み待機時間に対して良好な書込み放電を行うために必要である走査パルス電圧の一例を示した図である。
【符号の説明】
【０１２０】
Ｄ１〜Ｄｍ  データ電極
ＳＣＮ１〜ＳＣＮｎ  走査電極
ＳＵＳ１〜ＳＵＮｎ  維持電極
１  プラズマディスプレイパネル
１２  データ電極駆動回路
１３  走査電極駆動回路
１４  維持電極駆動回路
１５  タイミング発生回路
１６  Ａ／Ｄ変換器
１７  走査数変換部
１８  サブフィールド変換部
１９  ＡＰＬ検出部
【図１】
2007328072.tif 000003
【図２】
2007328072.tif 000004
【図３】
2007328072.tif 000005
【図４】
2007328072.tif 000006
【図５】
2007328072.tif 000007
【図６】
2007328072.tif 000008
【図７】
2007328072.tif 000009
【図８】
2007328072.tif 000010
【図９】
2007328072.tif 000011